【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
イメージ情報を入力する入力手段と、
前記イメージ情報をベクトル化するベクトル化手段と、
前記イメージ情報がベクトル化されたことを識別可能に前記イメージ情報を出力する出力手段と
を備えることを特徴とする画像処理システム。
【請求項２】
前記ベクトル化手段が前記イメージ情報をベクトル化することにより得られたベクトルデータを画像データに変換する第１の変換手段と、
前記ベクトル化手段によるベクトル化が実行されていないイメージ情報と前記第１の変換手段で変換された前記画像データとを合成して合成画像データを生成する合成手段とをさらに備え、
前記出力手段が、前記合成手段により生成された合成画像データを含む変換結果情報を出力する
ことを特徴とする請求項１に記載の画像処理システム。
【請求項３】
前記合成手段が、前記ベクトル化手段によるベクトル化が実行されていない前記イメージ情報と前記第１の変換手段で変換された前記画像データとを並べた前記合成画像データを生成することを特徴とする請求項２に記載の画像処理システム。
【請求項４】
前記合成手段が、前記ベクトル化手段によってベクトル化された部分とベクトル化されなかった部分とを識別可能に前記合成画像データを生成することを特徴とする請求項２に記載の画像処理システム。
【請求項５】
前記イメージ情報を複数のオブジェクトに分割する分割手段をさらに備え、
前記ベクトル化手段が、前記分割手段によって分割されたそれぞれのオブジェクトを独立にベクトル化する
ことを特徴とする請求項２に記載の画像処理システム。
【請求項６】
前記出力手段が、前記複数のオブジェクトのうち、前記ベクトル化手段によってベクトル化されたオブジェクトのオブジェクト数又は該オブジェクトの種類の内訳を含む前記変換結果情報を出力することを特徴とする請求項５に記載の画像処理システム。
【請求項７】
前記出力手段は、前記変換結果情報を印刷装置に出力することを特徴とする請求項２から６までのいずれか１項に記載の画像処理システム。
【請求項８】
前記変換結果情報を電子メールの添付ファイルとして送信するための電子メールデータに変換する第２の変換手段を更に備え、
前記出力手段は、前記第２の変換手段により変換された前記変換結果情報を、電子メールを用いて送信することを特徴とする請求項２から６までのいずれか１項に記載の画像処理システム。
【請求項９】
前記変換結果情報をＷｅｂブラウザで参照できる形式に変換する第３の変換手段をさらに備え、
前記出力手段は、前記第３の変換手段により変換された前記変換結果情報を、Ｗｅｂブラウザを備えた他の装置に送信することを特徴とする請求項２から６までのいずれか１項に記載の画像処理システム。
【請求項１０】
前記入力手段が、紙原稿を光学的に読み取って得られた前記イメージ情報を入力することを特徴とする請求項１から９までのいずれか１項に記載の画像処理システム。
【請求項１１】
前記第３の変換手段は、前記変換結果情報をＨＴＭＬデータに変換することを特徴とする請求項９に記載の画像処理システム。
【請求項１２】
前記ベクトル化手段が、ベクトル化に成功したオブジェクトと失敗したオブジェクトで異なる色属性値を与えることを特徴とする請求項５に記載の画像処理システム。
【請求項１３】
前記ベクトル化手段によってベクトル化されたオブジェクトの色属性値を該オブジェクトが有していた色属性と異なる色属性値に変換する色置換手段をさらに備えることを特徴とする請求項５に記載の画像処理システム。
【請求項１４】
イメージ情報を画像処理装置に入力する入力工程と、
前記イメージ情報をベクトル化するベクトル化工程と、
前記イメージ情報がベクトル化されたことを識別可能に前記イメージ情報を出力する出力工程と
を有することを特徴とする画像処理方法。
【請求項１５】
イメージ情報が入力されたコンピュータに、
前記イメージ情報をベクトル化するベクトル化手順と、
前記イメージ情報がベクトル化されたことを識別可能に前記イメージ情報を出力する出力手順と
を実行させるためのプログラム。
【請求項１６】
イメージ情報を入力する入力手段と、
前記入力手段で入力されたイメージ情報に対してベクトル化処理を実行するベクトル化処理手段と、
前記ベクトル化処理手段により実行されたベクトル化処理の結果を示す結果レポートを出力する出力手段と
を備えることを特徴とする画像処理システム。
【請求項１７】
前記入力手段で入力されたイメージ情報を複数のオブジェクトに分割する分割手段をさらに備え、
前記ベクトル化処理手段が、前記分割手段によって分割されたそれぞれのオブジェクトに対して独立にベクトル化処理を実行する
ことを特徴とする請求項１６に記載の画像処理システム。
【請求項１８】
前記出力手段が、前記複数のオブジェクトのうち、前記ベクトル化処理手段によってベクトル化処理が実行されたオブジェクトのオブジェクト数又は該オブジェクトの種類の内訳を含む前記結果レポートを出力することを特徴とする請求項１７に記載の画像処理システム。
【請求項１９】
前記出力手段が、前記結果レポートを記録媒体上に形成して印刷出力することを特徴とする請求項１６から１８までのいずれか１項に記載の画像処理システム。
【請求項２０】
前記結果レポートを電子メールの添付ファイルとして送信するための電子メールデータに変換する第１の変換手段をさらに備え、
前記出力手段が、前記第１の変換手段により変換された前記結果レポートを、電子メールを用いて送信することを特徴とする請求項１６から１８までのいずれか１項に記載の画像処理システム。
【請求項２１】
前記結果レポートをＷｅｂブラウザで参照できる形式に変換する第２の変換手段をさらに備え、
前記出力手段は、前記第２の変換手段により変換された前記結果レポートを、Ｗｅｂブラウザを備えた他の装置に送信する
ことを特徴とする請求項１６から１８までのいずれか１項に記載の画像処理システム。
【請求項２２】
イメージ情報を画像処理装置に入力する入力工程と、
前記入力工程で入力されたイメージ情報に対してベクトル化処理を実行するベクトル化処理工程と、
前記ベクトル化処理工程において実行されたベクトル化処理の結果を示す結果レポートを出力する出力工程と
を有することを特徴とする画像処理方法。
【請求項２３】
イメージ情報が入力されたコンピュータに、
前記イメージ情報に対してベクトル化処理を実行するベクトル化処理手順と、
前記ベクトル化処理手順において実行されたベクトル化処理の結果を示す結果レポートを出力する出力手順と
を実行させるためのプログラム。
【請求項２４】
請求項１５又は２３に記載のプログラムを格納したことを特徴とするコンピュータ読み取り可能な記録媒体。
【手続補正２】
【補正対象書類名】明細書
【補正対象項目名】０００７
【補正方法】変更
【補正の内容】
【０００７】
上記課題を解決するために、本発明に係る画像処理システムは、
イメージ情報を入力する入力手段と、
前記イメージ情報をベクトル化するベクトル化手段と、
前記イメージ情報がベクトル化されたことを識別可能に前記イメージ情報を出力する出力手段と
を備えることを特徴とする。
【手続補正３】
【補正対象書類名】明細書
【補正対象項目名】０００８
【補正方法】変更
【補正の内容】
【０００８】
また、上記課題を解決するために、本発明に係る画像処理方法は、
イメージ情報を画像処理装置に入力する入力工程と、
前記イメージ情報をベクトル化するベクトル化工程と、
前記イメージ情報がベクトル化されたことを識別可能に前記イメージ情報を出力する出力工程と
を有することを特徴とする。
【手続補正４】
【補正対象書類名】明細書
【補正対象項目名】０００９
【補正方法】変更
【補正の内容】
【０００９】
さらに、上記課題を解決するために、本発明に係る画像処理システムは、
イメージ情報を入力する入力手段と、
前記入力手段で入力されたイメージ情報に対してベクトル化処理を実行するベクトル化処理手段と、
前記ベクトル化処理手段により実行されたベクトル化処理の結果を示す結果レポートを出力する出力手段と
を備えることを特徴とする。
【手続補正５】
【補正対象書類名】明細書
【補正対象項目名】００１０
【補正方法】変更
【補正の内容】
【００１０】
さらにまた、上記課題を解決するために、本発明に係る画像処理方法は、
イメージ情報を画像処理装置に入力する入力工程と、
前記入力工程で入力されたイメージ情報に対してベクトル化処理を実行するベクトル化処理工程と、
前記ベクトル化処理工程において実行されたベクトル化処理の結果を示す結果レポートを出力する出力工程と
を有することを特徴とする。